(57)【要約】【課題】カーテンウォールを施工する際の施工性を向上させたカーテンウォールの施工方法、及び，カーテンウォールを提供すること。【解決手段】縦枠３０と横枠と方立１０と無目とにより枠組みされ複数の開口部を形成する枠体と、開口部に納められるガラスと、縦枠３０に配置される押縁と、を備え、各方立１０は、複数の部材により構成されず、一体的に構成された一部材により構成されるカーテンウォールである。カーテンウォールは、縦枠３０と方立１０とに跨がるように配置され、縦枠３０と方立１０とを連結する連結部材１５と、連結部材１５を縦枠３０と方立１０とにそれぞれ固定するビス１５３、１５４と、を備える。【選択図】図４
2018053542.tif 000002
【特許請求の範囲】
【請求項１】
躯体に支持され、上下に延びる少なくとも一対の方立と、前記方立を連結する下無目と、該方立と前記下無目とで囲まれる領域に縦枠及び横枠を枠組みした枠体を横けんどんにより配置させ、前記縦枠と前記方立とを連結する枠固定工程と、
前記枠体にガラスを配置するガラス配置工程と、
前記縦枠に押縁を配置する押縁配置工程と、を有する、カーテンウォールの施工方法。
【請求項２】
前記枠固定工程では、前記縦枠と前記方立とに跨がるように連結部材を配置し、前記連結部材を前記縦枠と前記方立とに連結する請求項１に記載のカーテンウォールの施工方法。
【請求項３】
躯体に支持される方立と、
前記方立に固定される縦枠と横枠とを有する枠体と、
前記枠体に配置されるガラスと、
前記縦枠に配置される押縁と、を備え、
前記縦枠と前記方立とに跨がるように配置され、前記縦枠と前記方立とを連結する連結部材と、
前記連結部材は前記縦枠と前記方立とにそれぞれ固定されるカーテンウォール。
【発明の詳細な説明】
【技術分野】
【０００１】
本発明は、カーテンウォールの施工方法及びカーテンウォールに関する。
【背景技術】
【０００２】
従来より、方立や無目によって区画された開口部にガラスが配置された建具が知られている。開口部に設けられる枠体に配置されたガラスと枠体との間には、シール材が設けられ、建具において気密性が確保される。このような建具には、防火性能が確保されることが求められており、また例えば、延焼のおそれのある部分の窓部と、延焼のおそれのある部分以外の窓部とで、異なる構成を有するカーテンウォールが知られている（例えば、特許文献１参照）。
【先行技術文献】
【特許文献】
【０００３】
【特許文献１】特開２０１０−０９５９７３号公報
【発明の概要】
【発明が解決しようとする課題】
【０００４】
上記公報に記載されているカーテンウォールの窓部においては、ガラスを挿入する枠体の縦枠のガラス保持溝が左右方向に深く構成されており、縦枠と方立とのクリアランスは少ない。このため、枠体を上方から方立に差し込むようにして入れ、ガラスを横けんどんによりガラス保持溝に配置し、ガラスを配置させた後に、押縁を取り付けていた。
【０００５】
本発明は、上記に鑑みてなされたものであり、カーテンウォールを施工する際の施工性を向上させたカーテンウォールの施工方法、及び，カーテンウォールを提供することを目的とする。
【課題を解決するための手段】
【０００６】
上記目的を達成するため本発明は、躯体に支持され、上下に延びる少なくとも一対の方立（例えば、後述の方立１０）と、前記方立を連結する下無目（例えば、後述の無目２０）と、該方立と前記下無目とで囲まれる領域に縦枠（例えば、後述の縦枠３０）及び横枠（例えば、後述の横枠５０）を枠組みした枠体を横けんどんにより配置させ、前記縦枠と前記方立とを連結する枠固定工程と、前記枠体にガラス（例えば、後述のガラス７０）を配置するガラス配置工程と、前記縦枠に押縁（例えば、後述の縦押縁３４、４４）を配置する押縁配置工程と、を有する、カーテンウォールの施工方法を提供する。
【０００７】
また、前記枠固定工程では、前記縦枠と前記方立とに跨がるように連結部材（例えば、後述の連結部材１５）を配置し、前記連結部材を前記縦枠と前記方立とに連結することが好ましい。
【０００８】
また、本発明は、躯体に支持される方立（例えば、後述の方立１０）と、前記方立に固定される縦枠（例えば、後述の縦枠３０）と横枠（例えば、後述の横枠５０）とを有する枠体と、前記枠体に配置されるガラス（例えば、後述のガラス７０）と、前記縦枠に配置される押縁（例えば、後述の縦押縁３４、４４）と、を備え、前記縦枠と前記方立とに跨がるように配置され、前記縦枠と前記方立とを連結する連結部材（例えば、後述の連結部材１５）と、前記連結部材は前記縦枠と前記方立とにそれぞれ固定されるカーテンウォールを提供する。
【発明の効果】
【０００９】
本発明によれば、カーテンウォールを施工する際の施工性を向上させたカーテンウォールの施工方法、及び，カーテンウォールを提供することができる。
【図面の簡単な説明】
【００１０】
【図１】本発明の一実施形態に係る建具を示す正面図である。
【図２】本発明の一実施形態に係る建具を示す縦断面図である。
【図３】本発明の一実施形態に係る建具を示す横断面図である。
【図４】本発明の一実施形態に係る建具の連結部材を示す拡大横断面図である。
【図５】本発明の一実施形態に係る建具の縦枠及び下枠を示す要部縦断面図である。
【図６】本発明の一実施形態に係る建具の下枠及び縦枠を示す要部横断面図である。
【図７】本発明の一実施形態に係る建具の縦枠、横枠、及び、加熱発泡材を示す概略図である。
【発明を実施するための形態】
【００１１】
以下、本発明の一実施形態について、図面を参照して詳しく説明する。
図１は、本発明の一実施形態に係る建具を示す正面図である。図２は、本発明の一実施形態に係る建具を示す縦断面図である。図３は、本発明の一実施形態に係る建具を示す横断面図である。図４は、本発明の一実施形態に係る建具の連結部材を示す拡大横断面図である。図５は、本発明の一実施形態に係る建具の縦枠及び下枠を示す要部縦断面図である。図６は、本発明の一実施形態に係る建具の下枠及び縦枠を示す要部横断面図である。図７は、本発明の一実施形態に係る建具の縦枠、横枠、及び、加熱発泡材を示す概略図である。
【００１２】
なお、本明細書において、「見付方向」とは、建物の外壁として納められた建具１を構成するカーテンウォールの横枠５０（上枠５１、下枠６１）、縦枠３０（左縦枠３１、右縦枠４１）の長手方向（すなわち、ガラス７０の面内方向）を意味し、「見込方向」とは、屋内外方向（すなわち、奥行き方向）を意味する。
【００１３】
建具１は、具体的には、建物の外壁を構成するカーテンウォールであり、方立１０と、無目２０と、縦枠３０と、横枠５０と、ガラス７０と、バッカー材８１と、加熱発泡材８６と、縦押縁３４、４４と、横押縁５４、６４と、を備えている。方立１０は、縦方向に延びており、見付方向としての左右方向に所定間隔で複数配列されている。方立１０は、それぞれ複数の部材により構成されず、一体的に構成された一部材により構成されている。即ち、例えば、ガラス７０やバッカー材８１等を配置させる前に方立１０の一部の部材を取外し、ガラス７０やバッカー材８１等を配置させた後に、再び取り外した部材を組付けるような構成を、方立１０は有していない。無目２０は、方立１０に直交する横方向に延びて上下方向に所定間隔で複数配列されている。方立１０と無目２０とにより、格子状の枠部が構成され、複数の開口部１００１が形成されている。
【００１４】
縦枠３０は、方立１０に対して固定されている。横枠５０は、縦枠３０と縦勝ちに構成され、上枠５１と下枠６１を有しており、それぞれ無目２０に対して固定されている。ガラス７０は、縦押縁３４、４４（図３参照）が固定された縦枠３０と、横押縁５４、６４（図２参照）が固定された横枠５０と、方立１０と、無目２０と、により枠組みされた枠体の、複数の開口部１００１に配置されている。
【００１５】
以下、建具１について詳細に説明する。
【００１６】
方立１０は、図３に示すように、方立本体部１１と、延出フランジ部１２とを有している。方立本体部１１は、方立１０において屋内側に位置しており、図３に示す水平面で切った断面である横断面では、中空の長方形状を有している。方立本体部１１の内部には、横断面でコの字形状を有す内壁部材１３が、方立本体部１１の両側面を掛け渡すように、ビス１３１によって固定されて設けられている。延出フランジ部１２は、方立本体部１１から見込み方向であって屋外側へ延び、屋外側の先端部が見付方向へ所定の幅で広がるＴ字形状を有しており、Ｔ字形状と方立本体部１１の一部とにより見付方向に開口するコの字状の縦枠挿入溝１０１が形成されている。
【００１７】
上側の無目２１は、図２に示されるように、無目本体２２と、外側延出部２３とを有している。無目本体２２は、中空に形成されている。外側延出部２３は、無目本体２２から屋外側へ延びており、屋外側の端部の近傍には、Ｌ字状に下方向へ突出し、上枠５１に係合する上枠係合部２３１が設けられている。また、外側延出部２３の屋外側の端部は、上方向へ延び、無目２１の上側に固定される横押縁２３３が固定される上側横押縁固定部２３２を構成する。
【００１８】
無目２６は、図２に示すように、無目本体２７と、外側延出部２８とを有している。無目本体２７は、中空に形成されている。外側延出部２８は、無目本体２７から屋外側へ延びており、屋外の方向へ向かう途中の位置には、Ｌ字状に上方向へ突出し、下枠６１に係合する下枠係合部２８１が設けられている。また、外側延出部２８の下部には、Ｌ字状に下方向へ複数突出し、無目２６の下側に固定される横押縁２８３に係合する下側横押縁係合部２８２が複数設けられている。
【００１９】
上枠５１は、図２に示すように、屋内側に配置され中空部を有するホロー構造である上枠本体部５２と、上枠本体部５２の上部から屋外側に延設され、ガラス７０の上端部を保持する溝５３１を形成する上枠ガラス保持部５３と、を有する。上枠ガラス保持部５３の上面には、Ｌ字状に上方へ突出する無目係合部５３２が設けられている。無目係合部５３２は、上枠係合部２３１に係合している。上枠ガラス保持部５３の屋外側の端部には、横押縁５４が固定されている。上枠５１は、例えば、アルミニウムを押し出し成形により形成される。
【００２０】
下枠６１は、屋内側に配置された下枠本体部６２と、下枠本体部６２から屋外側に延設され、ガラス７０の下端部を保持する溝６３１を形成する下枠ガラス保持部６３と、を有する。下枠ガラス保持部６３の下面には、Ｌ字状に下方へ突出する無目係合部６３２が設けられている。無目係合部６３２は、下枠係合部２８２に係合している。下枠ガラス保持部６３の屋外側の端部には、横押縁６４が固定される。上枠５１及び下枠６１は、例えば、アルミニウムを押し出し成形により形成される。
【００２１】
下枠６１には、一対のセッティングブロック６１１が設けられている。セッティングブロック６１１は、図５に示すように、所定の厚さを有する直方体形状のアルミニウム合金部６１２と、アルミニウム合金部６１２の上面の全面を覆うように配置された板状のゴム板状部６１３と、を有している。セッティングブロック６１１は、縦枠３０に接続されている下枠６１の近傍の部分にそれぞれ１つずつ計２つ固定されており、図２に示すように、ゴム板状部６１３の上面にガラス７０が載置された状態とされる。なお、図６においては、セッティングブロック６１１は１つのみ現われている。
【００２２】
縦枠３０は、左右対称の形状を有しているため、屋内側から見て左側の縦枠３０（左縦枠３１）のみ説明し、右側の縦枠３０（右縦枠４１）については、説明を省略する。
図３に示すように、縦枠３１は、屋内側に配置され中空部を有するホロー構造である縦枠本体部３２と、縦枠本体部３２の左端部から屋外側に延設され、ガラス７０の左端部を保持する溝３３１を形成する左縦枠ガラス保持部３３と、を有する。左縦枠ガラス保持部３３の屋外側の端部には、縦押縁３４が固定される。左縦枠ガラス保持部３３の溝３３１には、ガラス７０が配置されるが、縦押縁３４が左縦枠３１に固定されて、ガラス７０は左縦枠３１に対して固定される。このため、見付方向における溝３３１の深さは、浅く構成されている。また、右縦枠４１は、縦枠３０と横枠５０とが組み付けられ一体とされた状態で、横けんどんにより、隣接する方立１０の間に挿入されて配置可能に、右縦枠４１と方立１０の延出フランジ部１２との間には、十分なクリアランス（見付方向である図３の左右方向における縦枠挿入溝１０１の幅）が確保されている。左縦枠３１は、例えば、アルミニウムを押し出し成形により形成される。
【００２３】
縦枠３０と方立１０とは、連結部材１５によって連結されている。連結部材１５は、図４に示すように、横断面で、方立側側壁１５１と縦枠側壁１５２とを有するＬ字形状を有しするアルミニウム製の金具によって構成されている。方立側側壁１５１、縦枠側壁１５２は、それぞれ上下方向に延びており、方立側側壁１５１は、複数のビス１５３によって方立１０の方立本体部１１に固定され、縦枠側壁１５２は、複数のビス１５４によって左縦枠３１の縦枠本体部３２に固定されている。これにより、連結部材１５は、左縦枠３１と方立１０とに跨がるように配置され、左縦枠３１と方立１０とを連結する。
【００２４】
Ｌ字形状の連結部材１５の両端部１５５、１５６は、フック形状を有している。連結部材１５には、カバー部材１６が固定される。カバー部材１６は、図４に示すように、横断面がＬ字形状を有しており、カバー部材１６の両端部は、図４において下方向へ延びる
上方延出被係止部１６１、下方延出被係止部１６２を有している。上方延出被係止部１６１、下方延出被係止部１６２は、フック形状を有する連結部材１５の両端部１５５、１５６に係止され、これにより、カバー部材１６が連結部材１５を覆うように、連結部材１５に固定される。
【００２５】
図２等に示すように、ガラス７０は、それぞれ長方形状に形成された屋内側の板ガラス７１と、屋外側の網入り板ガラス７２と、これら２枚の板ガラスで挟持されたスペーサ７３と、を備える複層ガラスである。この複層ガラスで構成されたガラス７０は、優れた断熱性を有する。
【００２６】
図２に示すように、ガラス７０の上端部は、上枠５１の上枠ガラス保持部５３の溝５３１に配置されている。溝５３１内において、ガラス７０の上端部は、不燃性の材料により構成されたバッカー材８１によって挟まれている。更に、バッカー材８１の下方には、上枠５１とガラス７０とバッカー材８１とに囲まれた空間に配置され、上枠５１とガラス７０との間をシールするシール材８５が塗工されて配置されている。バッカー材８１は、ガラス７０の左右方向における両端部、ガラス７０の上端部、及び、下端部に沿って配置されているが、ガラス７０の左右方向における両端部に配置されたバッカー材８１は、ガラス７０の左右方向における両端部の上下方向における長さ、又は、左縦枠３１、右縦枠４１とほぼ同じ長さで形成されている。また、ガラス７０の上端部、及び、下端部に沿って配置されたバッカー材８１は、ガラス７０の上端部、下端部とほぼ同じ長さ、又は、上枠５１、下枠６１とほぼ同じ長さで形成されている。枠体５０の上枠５１とガラス７０とシール材８５とに囲まれた空間（溝５３１内の空間）に配置されている。上枠５１においてバッカー材８１は、シール材８５の上端部から上枠５１、横押縁５４にそれぞれ設けられた爪部５１２、５４２に至るまで配置されており、爪部５１２、５４２により、爪部５１２、５４２よりも上方へ移動することが抑えられて位置決めがなされている。
【００２７】
ガラス７０の下端部は、下枠６１の下枠ガラス保持部６３の溝６３１に配置されている。溝６３１内において、ガラス７０の下端部は、不燃性の材料により構成されたバッカー材８１によって挟まれている。更に、バッカー材８１の上方には、下枠６１とガラス７０との間をシールするシール材８５が塗工されて配置されている。バッカー材８１は、枠体の下枠６１とガラス７０とシール材８５とに囲まれた溝６３１内の空間に配置されており、枠体の下枠６１とガラス７０とバッカー材８１とに囲まれた溝６３１内の空間には、加熱発泡材８６が配置されている。
【００２８】
下枠６１においてバッカー材８１は、シール材８５の下端部から、下枠６１の溝６３１を形成している下枠ガラス保持部６３の一部及び横押縁６４の部分であって、上下方向に延びる溝６３１を形成する内面の部分である見付面６３５、６４５に当接した状態で、見付面６３５、６４５の下端から見込み方向へ折れ曲がり見込み面６３３、６４３を形成する角部の部分、及び、当該見込み面６３３、６４３に至るまで配置されており、当該見込み面６３３、６４３の一部に当接している。即ち、バッカー材８１は、上下方向に延びる下枠６１及び横押縁６４の見付面６３５、６４５と、下枠６１及び横押縁６４の見込み面６３３、６４３とに当接した状態で、配置されている。
【００２９】
図３に示すように、ガラス７０の左端部は、左縦枠３１の左縦枠ガラス保持部３３の溝３３１に配置されている。溝３３１内において、ガラス７０の左端部は、不燃性の材料により構成されたバッカー材８１によって挟まれている。更に、バッカー材８１の右方には、左縦枠３１とガラス７０との間をシールするシール材８５が塗工されて配置されている。バッカー材８１は、枠体の左縦枠３１とガラス７０とシール材８５とに囲まれた溝３３１内の空間に配置されており、枠体の左縦枠３１とガラス７０とバッカー材８１とに囲まれた溝３３１内の空間には、図５、図６等に示すように、加熱発泡材８６が配置されている。
【００３０】
左縦枠３１において屋外側のバッカー材８１は、シール材８５の左端部から、左縦枠３１の溝３３１を形成している縦押縁３４の部分であって、左右方向に延びる溝３３１の内面を形成する部分である見付面３４５に当接した状態で、見付面３４５の左端から見込み方向へ折れ曲がり見込み面３４３を形成する角部の部分、及び、当該見込み面３４３に至るまで配置されており、当該見込み面３４３の一部に当接している。即ち、屋外側のバッカー材８１は、左右方向に延びる縦押縁３４の見付面３４５と、縦押縁３４の見込み面３４３とに当接した状態で配置されている。
【００３１】
左縦枠３１において屋内側のバッカー材８１は、シール材８５の左端部から、左縦枠本体部３２の部分であって、左右方向に延びる溝３３１の内面を形成する部分である見付面３３５に当接した状態で、ガラス７０の小口面よりも見付面３３５側、すなわち左縦枠３１の左縦枠ガラス保持部３３の見込み面３３３に至るまで配置されており、例えば、当該見込み面３３３の一部に当接している。即ち、バッカー材８１は、左右方向に延びる左縦枠３１の左縦枠本体部３２の見付面３３５と、左縦枠３１の見込み面３３３とに当接した状態で、配置されている。
【００３２】
ガラス７０の右端部は、右縦枠４１の右縦枠ガラス保持部４３の溝４３１に配置されている。溝４３１内において、ガラス７０の右端部は、不燃性の材料により構成されたバッカー材８１によって挟まれている。更に、バッカー材８１の左方には、左縦枠３１とガラス７０との間をシールするシール材８５が塗工されて配置されている。即ち、バッカー材８１は、枠体の右縦枠４１とガラス７０とシール材８５とに囲まれた溝４３１内の空間に配置されており、枠体の右縦枠４１とガラス７０とバッカー材８１とに囲まれた溝４３１内の空間には、図６等に示すように、加熱発泡材８６が配置されている。
【００３３】
右縦枠４１において屋外側のバッカー材８１は、シール材８５の右端部から、右縦枠４１の溝４３１を形成している縦押縁４４の部分であって、左右方向に延びる溝４３１の内面を形成する部分である見付面４４５に当接した状態で、見付面４４５の右端から見込み方向へ折れ曲がり見込み面４４３を形成する角部の部分、及び、当該見込み面４４３に至るまで配置されており、当該見込み面４４３の一部に当接している。即ち、屋外側のバッカー材８１は、左右方向に延びる縦押縁４４の見付面４４５と、縦押縁４４の見込み面４４３とに当接した状態で配置されている。
【００３４】
右縦枠４１において屋内側のバッカー材８１は、シール材８５の右端部から、右縦枠ガラス保持部４３の部分であって、左右方向に延びる溝４３１の内面を形成している部分である見付面４３５に当接した状態で、ガラス７０の小口面よりも見付面４３５側、すなわち右縦枠４１の右縦枠ガラス保持部４３の見込み面４３３に至るまで配置されており、例えば、当該見込み面４３３の一部に当接している。即ち、バッカー材８１は、左右方向に延びる右縦枠４１の右縦枠本体部４２の溝４３１を形成している見付面４３５と、右縦枠４１の見込み面４３３とに当接した状態で、配置されている。
【００３５】
加熱発泡材８６は、下枠６１及び縦枠３０に設けられている。加熱発泡材８６は、図６に示すように、下枠６１のセッティングブロック６１１よりも見込み方向における幅が短い帯状を有している。加熱発泡材８６は、左側のセッティングブロック６１１の左端部から、下枠６１の左端部に至るまで延びて左縦枠３１に至るとともに、右側のセッティングブロック６１１の右端部から、下枠６１の右端部に至るまで延びて右縦枠４１に至る。そして、図７に示すように、枠３０である左縦枠３１、右縦枠４１の下端部と横枠５０としての下枠６１の端部とにそれぞれ跨がるように配置され、左縦枠３１、右縦枠４１に沿って上方向へ延びて、縦枠３０の中央位置近傍まで配置されている。中央位置近傍とは、縦枠３０の中央位置だけでなく、中央位置よりも上もしくは下に加熱発泡材が配置されているものを含む。例えば、本実施形態では、上下方向における縦枠３０の中央位置よりも少し上の位置に至るまで延びて配置されている。より具体的には、例えば、縦枠３０の高さ約２６００ｍｍに対して１４００ｍｍ程度、つまり中央位置よりも上まで配置している。
【００３６】
即ち、ガラス７０及び縦枠３０を３等分し、上から上部、中部、下部とした場合に、加熱発泡材８６は、ガラス７０の上部の縁部に対向する、上枠５１及び縦枠３０の上部の位置には配置されておらず、ガラス７０の中部及び下部の縁部に対向する縦枠３０の位置に配置されている。加熱発泡材８６は、ねじ８６２によって下枠６１、縦枠３０に固定されている。
【００３７】
次に、建具１の施工方法について説明する。
建具１の施工方法は、枠固定工程と、第１バッカー材配置工程と、ガラス配置工程と、押縁配置工程と、第２バッカー材配置工程と、シール工程と、を含み、この順で実施される。
【００３８】
枠固定工程では、複数の部材により構成されず、一体的に構成された方立１０と、無目２０と、により枠組みされた枠部の開口部１００１に、一体とされた縦枠３０及び横枠５０を横けんどんにより配置させ、縦枠３０と方立１０とを連結する。
【００３９】
具体的には、先ず、方立１０と無目２０（下無目２０）とを組付けることにより、方立１０と無目２０とによりコの字状の枠部が構成され、複数の開口部１００１が形成される。次に、縦枠３０と横枠５０とを組み付けることにより、長方形状の枠部材を形成し、下枠６１と縦枠３０（左縦枠３１、右縦枠４１）とに跨がるように、縦枠３０の下部及び中部、及び、下枠６１に加熱発泡材８６を設ける。
【００４０】
次に、枠部材を枠部の開口部１００１へ横けんどんにより挿入して配置させる。即ち、互いに組み付け合わされて一体とされた縦枠３０及び横枠５０の右縦枠４１を、図３の右側の方立１０の縦枠挿入溝１０１に挿入する。次に、左縦枠３１を図３の左側の方立１０の縦枠挿入溝１０１に挿入する。これにより、枠部材（一体とされた縦枠３０及び横枠５０）が枠部の開口部１００１に配置される。
【００４１】
次に、連結部材１５の方立側側壁１５１（図４参照）を方立１０の方立本体部１１に対向させ、連結部材１５の縦枠側壁１５２を、左縦枠３１においては左縦枠３１の左縦枠本体部３２に対向させ、右縦枠４１においては右縦枠４１の右縦枠本体部４２に対向させて、縦枠３０と方立１０とに跨がるように連結部材１５を配置する。そして、連結部材１５の方立側側壁１５１を方立１０の方立本体部１１にビス１５３により固定し、連結部材１５の縦枠側壁１５２を、左縦枠３１においては左縦枠３１の左縦枠本体部３２に、右縦枠４１においては右縦枠４１の右縦枠本体部４２に、ビス１５４により固定する。これにより、縦枠３０と方立１０とは、連結部材１５によって連結される。そして無目２０（上無目２０）が組付けられることにより、方立１０と無目２０と縦枠３０と横枠５０とにより構成される枠体が組み付けられる。以上が枠固定工程である。
【００４２】
次に、第１バッカー材配置工程を行う。第１バッカー材配置工程では、複数の開口部１００１を形成する枠体のうちの下枠６１、左縦枠３１、右縦枠４１において、見付面３３５、４３５、５３５、６３５、及び、見込み面３３３、３４３、４３３、４４３、６３３、６４３に跨がるように、第１のバッカー材８１を当接させて第１のバッカー材８１を配置するとともに、上枠５１においてもバッカー材８１を配置する。
【００４３】
具体的には、第１のバッカー材としての屋内側のバッカー材８１は、上枠５１の上枠ガラス保持部５３において、ガラス７０の上端部が見込み方向屋内側において対向する位置と、下枠６１の下枠ガラス保持部６３において、ガラス７０の下端部が見込み方向屋内側において対向する位置と、左縦枠３１の左縦枠ガラス保持部３３において、ガラス７０の左端部が見込み方向屋内側において対向する位置と、右縦枠４１の右縦枠ガラス保持部４３において、ガラス７０の右端部が見込み方向屋内側において対向する位置とに、それぞれ上枠５１、下枠６１、左縦枠３１、右縦枠４１の長手方向に沿って、それぞれの一端部から他端部に至るまで接着により固定されて配置される。
【００４４】
この際、上枠５１においては、図２に示すように、屋内側のバッカー材８１は、上下方向に延びる上枠５１の見付面５３５と、上枠５１の爪部５１２とに当接した状態で配置される。下枠６１においては、屋内側のバッカー材８１は、上下方向に延びる下枠６１の見付面６３５と、下枠６１の見込み面６３３とに当接した状態で配置される。また、左縦枠３１においては、屋内側のバッカー材８１は、図３に示すように、左右方向に延びる左縦枠３１の見付面３３５と、左縦枠３１の見込み面３３３とに当接した状態で配置される。また、右縦枠４１においては、屋内側のバッカー材８１は、左右方向に延びる右縦枠４１の見付面４３５と、右縦枠４１の見込み面４３３とに当接した状態で配置される。以上が第１バッカー材配置工程である。
【００４５】
次に、ガラス配置工程を行う。ガラス配置工程では、第１のバッカー材としての屋内側のバッカー材８１に、ガラス７０の縁部を当接させて、縦枠３０と横枠５０と方立１０と無目２０とにより枠組みされた枠体の複数の開口部１００１に、ガラス７０を配置する。
具体的には、ガラス７０の上端部の縁部を上枠ガラス保持部５３に配置された屋内側のバッカー材８１に当接させ、ガラス７０の下端部の縁部を下枠ガラス保持部６３に配置された屋内側のバッカー材８１に当接させ、ガラス７０の左端部の縁部を左縦枠ガラス保持部３３に配置された屋内側のバッカー材８１に当接させ、ガラス７０の右端部の縁部を右縦枠ガラス保持部４３に配置された屋内側のバッカー材８１に当接させる。以上がガラス配置工程である。
【００４６】
次に、押縁配置工程を行う。押縁配置工程では枠体に押縁を配置する。
具体的には、横押縁５４、６４を上枠５１、下枠６１にそれぞれ配置して取り付け固定する。また、縦押縁３４、４４を左縦枠３１、右縦枠４１にそれぞれ配置して取り付け固定する。以上が押縁配置工程である。
【００４７】
次に、第２バッカー材配置工程を行う。第２バッカー材配置工程では、ガラス７０の縁部、及び、枠体の見付面に第２のバッカー材としての屋外側のバッカー材８１を当接させて、第２のバッカー材を配置する。
具体的には、第２のバッカー材としての屋外側のバッカー材８１を、ガラス７０の上端部、下端部、左端部、右端部の各端縁と、横押縁５４、６４、縦押縁３４、４４との間に挿入する。これにより、上枠５１においては、屋外側のバッカー材８１は、上下方向に延びる横押縁５４の見付面５４５と、横押縁５４の爪部５４２とに当接した状態で配置される。また、下枠６１においては、屋外側のバッカー材８１は、上下方向に延びる横押縁６４の見付面６４５と、横押縁６４の見込み面６４３とに当接した状態で配置される。また、左縦枠３１においては、屋外側のバッカー材８１は、左右方向に延びる縦押縁３４の見付面３４５と、縦押縁３４の見込み面３４３とに当接した状態で配置される。また、右縦枠４１においては、屋外側のバッカー材８１は、左右方向に延びる縦押縁４４の見付面４４５と、縦押縁４４の見込み面４４３とに当接した状態で、配置される。以上が第２バッカー材配置工程である。
【００４８】
次に、シール工程を行う。シール工程では、シール材８５をガラス７０と枠体との間に配置する。
具体的には、上枠５１においては、上枠５１の上枠本体部５２と、ガラス７０と、バッカー材８１とにより囲まれる空間にシール材８５を塗工すると共に、上枠５１に固定された横押縁５４と、ガラス７０と、バッカー材８１とにより囲まれる空間にシール材８５を塗工する。
また、下枠６１においては、下枠６１の下枠ガラス保持部６３と、ガラス７０と、バッカー材８１とにより囲まれる空間にシール材８５を塗工すると共に、下枠６１に固定された横押縁６４と、ガラス７０と、バッカー材８１とにより囲まれる空間にシール材８５を塗工する。
また、左縦枠３１においては、左縦枠３１の左縦枠本体部３２と、ガラス７０と、バッカー材８１とにより囲まれる空間にシール材８５を塗工すると共に、左縦枠３１に固定された縦押縁３４と、ガラス７０と、バッカー材８１とにより囲まれる空間にシール材８５を塗工する。
また、右縦枠４１においては、右縦枠４１の右縦枠本体部４２と、ガラス７０と、バッカー材８１とにより囲まれる空間にシール材８５を塗工すると共に、右縦枠４１に固定された縦押縁４４と、ガラス７０と、バッカー材８１とにより囲まれる空間にシール材８５を塗工する。
いずれのシール材８５の塗工においても、見付方向（上枠５１及び下枠６１においては上下方向、左縦枠３１、右縦枠４１においては左右方向）における各シール材８５の寸法がほぼ同一になるように、シール材８５の量が調整されて塗工が行なわれる。以上がシール工程である。
【００４９】
本実施形態によれば、以下の効果が奏される。
本実施形態による建具１は、パネルとしてのガラス７０を保持する枠体（縦枠３０、横枠５０、方立１０、無目２０）と、ガラス７０と室内見付片又は室外見付片との間に配置されるバッカー材８１と、バッカー材８１及び前記ガラス７０と室内見付片又は室外見付片とで囲まれる領域に配置されるシール材８５と、を備える。バッカー材８１は、見込片を構成する見込み面３３３、４３３、６３３に至るまで配置されている。
【００５０】
これにより、バッカー材８１を支持する支持片としての爪部５１２、５４２を用いない下枠６１、左縦枠３１、及び、右縦枠４１においては、バッカー材８１は、見込み面３３３、４３３、６３３、及び、見付面３３５、４３５、５３５、６３５に当接し、且つ、見付方向におけるバッカー材８１の奥行きを余裕がある寸法とすることができる。このため、同方向におけるシール材８５の寸法を考慮しても、火災時に十分にガラス７０の保持に有効な防火用バッカーのサイズを確保でき、また、２つの面（見込み面及び見付面）に当接した状態とされている。
【００５１】
この結果、火災時にバッカー材８１が変形していない状態でガラス７０に密着してガラス７０を保持することができる。例えばカーテンウォールのサッシのように、サイズの大きなサッシの場合であっても、炎によるガラス７０の変形を抑制し、予め想定していたガラス７０の保持を想定したとおりに行なうことが可能となり、防火性能を満足させることができる。このため、建具１において、火災時に炎により発泡してガラス７０を支持する加熱発泡材８６を極力少なくして、即ち、本実施形態のように、加熱発泡材８６を、縦枠３０の下部、中部、及び下枠６１の両端部分のみに配置させて、火災時にガラス７０を想定していたとおりに支持することが可能となる。
【００５２】
また、枠体は縦枠３０と横枠５０とを有し、少なくともバッカー材８１は、縦枠３０の見込み面３３３、４３３、６３３に至るまで配置されている。このため、ガラスウォール等の縦に長いガラスを、大きなサイズのバッカー材８１によって確実に支持することが可能となる。
【００５３】
また、本実施形態による建具１の施工方法では、パネルとしてのガラス７０を保持する枠体の室内見付片を構成する見付面４３５、５３５、６３５及び見込片を構成する見込み面４３３、５３３、６３３に跨がるように、第１のバッカー材８１を当接させて第１のバッカー材８１を配置する第１バッカー材配置工程と、第１のバッカー材８１に、ガラス７０の縁部を当接させてガラス７０を配置させるパネル配置工程と、ガラス７０の縁部、及び、室外見付片としての枠体に固定された縦押縁３４、４４、横押縁５４、６４の見付面３４５、４４５、５４５、６４５に第２のバッカー材８１を当接させて、第２のバッカー材８１を配置する第２バッカー材配置工程と、シール材８５を、第１のバッカー材８１又は第２のバッカー材８１と、ガラス７０と、見付面４３５、５３５、６３５又は縦押縁３４、４４、横押縁５４、６４と、で囲まれる領域に配置するシール工程と、を有する。
【００５４】
これにより、バッカー材８１を支持する支持片としての爪部５１２、５４２を用いない下枠６１、左縦枠３１、及び、右縦枠４１においては、見付方向におけるバッカー材８１の奥行きを余裕がある寸法とした建具１を施工することができる。
このため、建具１において、同方向におけるシール材８５の寸法を考慮しても、火災時に十分にガラス７０の保持に有効な防火用バッカーのサイズを確保でき、また、２つの面（見込み面及び見付面）に当接した状態とされている。
【００５５】
この結果、サイズの大きなガラス７０及び枠体を有する建具１の場合であっても、炎によるガラス７０の変形を抑制し、予め想定していたガラス７０の保持を想定したとおりに行うことが可能となり、防火性能を満足させることができる。このため、建具１において、火災時に炎により発泡してガラス７０を支持する加熱発泡材８６を極力少なくして、即ち、本実施形態のように、加熱発泡材８６を、縦枠３０の下部、中部、及び下枠６１の両端部分のみに配置させて、火災時にガラス７０を想定していたとおりに支持することが可能となる。
【００５６】
また、本実施形態による建具１は、枠体と、枠体に配置されるガラス７０と、枠体とガラス７０とに囲まれた空間に配置された加熱発泡材８６と、を備える。
加熱発泡材８６は、ガラス７０の高さ方向におる中間位置近傍まで配置されている。
【００５７】
これにより、加熱時に枠体は溶融（軟化）し、ガラス７０が自重で撓むことによりガラス７０と枠体との間に隙間が空くが、この隙間に有効に機能する部分、即ち、火災時に隙間が発生しやすい部分であるガラスの中部から下部にかけての部分にのみ、加熱発泡材８６を取付けることにより、必要以上に加熱発泡材８６を使用することを回避することができ、防火性能を落とさず、安価なカーテンウォールにより構成される防火サッシを供給することが可能となる。特に、バッカー材８１により、火災時のガラス７０の変形を確実に抑制することができるため、必要な量に加熱発泡材８６の量を抑えることが可能である。
【００５８】
また、加熱発泡材８６は、ガラス７０の高さ方向における中間位置よりも上方まで配置されている。これにより、加熱発泡材８６を十分な量とすることが可能となる。
【００５９】
また、枠体は、縦枠３０と横枠５０とを有し、加熱発泡材８６は、縦枠３０の下端部と、横枠５０の端部と、に跨がるように配置されている。
【００６０】
これにより、アルミニウム製の縦枠３０と横枠５０とが接続されている部分においては、アルミニウム同士が接触しているいわゆるメタルタッチのため、隙間が存在するが、この部分において、加熱発泡材８６が十分に配置されているため、火災時に、加熱発泡材８６が隙間を埋めて塞ぐことが可能となる。
【００６１】
また、本実施形態によるカーテンウォール１の施工方法は、躯体に支持され、上下に延びる一対の方立１０と、方立を連結する下無目２０（無目２０）と、方立１０と下無目２０とで囲まれる領域に縦枠３０及び横枠５０を枠組みした枠体を横けんどんにより配置させ、縦枠３０と方立１０とを連結する枠固定工程と、枠体にガラス７０を配置するガラス配置工程と、縦枠３０に縦押縁３４、４４を配置する押縁配置工程と、を有する。
【００６２】
これにより、縦枠３０と横枠５０とを組み付けた枠部材としてのＦＩＸユニットを、横けんどんにて施工でき、従来のように、枠体を上方から入れた後に、ガラス７０を横けんどんによりガラス保持溝３３１、４３１、５３１、６３１に配置したり、方立１０の一部を外れるようにしたりして、ガラス７０を配置させる場合と比較して、施工の効率を向上させることが可能となる。
【００６３】
また、前記枠固定工程では、縦枠３０と方立１０とに跨がるように連結部材１５を配置し、連結部材１５を縦枠３０と方立１０とに連結する。このため、ビス１５３、１５４による、連結部材１５を介しての縦枠３０と方立１０との固定により、方立１０や縦枠３０等の変形が抑えられたカーテンウォール１を施工することができる。
【００６４】
また、本実施形態によるカーテンウォール１は、躯体に支持される方立１０と、方立１０に固定される縦枠３０と横枠５０とを有する枠体と、枠体に配置されるガラス７０と、縦枠３０に配置される縦押縁３４、４４と、を備え、縦枠３０と方立１０とに跨がるように配置され、縦枠３０と方立１０とを連結する連結部材１５と、連結部材１５は縦枠３０と方立１０とにそれぞれ固定される。
【００６５】
これにより、縦枠３０に縦押縁３４、４４を配置する構成としたことにより、ガラス７０を配置させる縦枠３０の溝を浅くでき、これにより、縦枠３０と方立１０とのクリアランスを大きく確保することができる。このため、縦枠３０と横枠５０とを組み付けた枠部材としてのＦＩＸユニットを、横けんどんにて施工でき、施工の効率を向上させることが可能である。
【００６６】
なお、本発明は上記実施形態に限定されるものではなく、本発明の目的を達成できる範囲での変形、改良等は本発明に含まれる。
例えば、枠体の構成は、上記本実施形態における枠体の構成に限定されない。例えば、縦枠３０及び横枠５０（上枠５１、下枠６１）に代えて、縦框及び横框が用いられてもよい。
また、本実施形態では、横押縁５４、６４及び縦押縁を有していたが、この構成に限定されない。例えば、横押縁５４、６４を有していなくてもよい。
また、本実施形態では、連結部材１５をビスで方立１０と縦枠３０とに固定することにより、方立１０と縦枠３０とを連結したが、この構成に限定されない。
また、バッカー材８１を、ガラス７０の端縁部をコの字状に取囲むような形状としてもよい。即ち、ガラス７０の端縁部において、ガラス７０の屋内側からガラス７０の屋外側へ跨がってガラス７０の端縁部を覆うように、バッカー材８１を配置してもよい。
また、本実施形態では、建具は、カーテンウォールにより構成されたが、これに限定されない。例えば、大型のサッシ等により構成されてもよい。
また、加熱発泡材はガラスの縁部に対向してガラスの縁部に固定されていてもよい。また、バッカー材は、少なくとも縦枠の見込み面に至るまで配置されていればよい。
また、本実施形態ではガラス７０においては、網入り板ガラス７２を屋外側としたが、外観意匠を考慮して屋内側を網入り板ガラス７２としてもよい。
【符号の説明】
【００６７】
１…カーテンウォール（建具）
１０…方立
１５…連結部材
２０…無目
３０…縦枠
３４、４４…縦押縁
５０…横枠
７０…ガラス
８１…バッカー材（第１のバッカー材、第２のバッカー材）
８５…シール材
８６…加熱発泡材
１５３、１５４…ビス
３３３、４３３、６３３…見込み面
３３５、４３５、５３５、６３５…見付面
１００１…開口部
【図１】
2018053542.tif 000003
【図２】
2018053542.tif 000004
【図３】
2018053542.tif 000005
【図４】
2018053542.tif 000006
【図５】
2018053542.tif 000007
【図６】
2018053542.tif 000008
【図７】
2018053542.tif 000009